(57)【要約】  食品の容器等に付与された情報コードを読取り装置にて読み取る加熱調理器であって、省エネでかつ使い勝手もよい加熱調理器を提供する。加熱調理器（１）は、情報コードを読み取る読取り装置（１６）と制御部（２２）とを備え、制御部（２２）は、加熱調理器（１）における前面開口部を開閉する前扉の開閉状態に応じて読取り装置（１６）による読み取りを行うかどうかを決定する。
2019198274.tif 000002
【特許請求の範囲】
【請求項１】
加熱庫と、前記加熱庫を開閉する前扉と、情報コードを読み取る読取り装置と、制御部とを備え、前記読取り装置にて読み取られる前記情報コードより取得される加熱情報に基づいて、前記加熱庫の内部に配置された食品を加熱する加熱調理器において、
前記制御部は、前記前扉の開閉状態に応じて前記読取り装置による読み取りを行うかどうかを決定することを特徴とする加熱調理器。
【請求項２】
前記読取り装置は、前記加熱庫の外部、かつ前記加熱庫の前面開口部の上方位置を設置位置とし、前記設置位置よりも下方に読取り領域を有するように設けられ、
前記制御部は、前記前扉が開状態である場合に、読み取りを行うように前記読取り装置を制御し、前記前扉が閉状態である場合に、読み取りを行わないように前記読取り装置を制御することを特徴とする請求項１に記載の加熱調理器。
【請求項３】
前記制御部は、加熱開始後に初めて前記前扉が開操作されたとき、前記前扉が開状態であっても、開操作された時点から第１所定時間の間読み取りを行わないように前記読取り装置を制御することを特徴とする請求項２に記載の加熱調理器。
【請求項４】
前記制御部は、前記前扉が開操作されると、読み取りを開始するように前記読取り装置を制御し、前記情報コードを読み取ることなく前記前扉が開状態のまま第２所定時間が経過すると、読み取りを停止するように前記読取り装置を制御することを特徴とする請求項２に記載の加熱調理器。
【請求項５】
前記制御部は、前記情報コードを読み取ってから前記前扉が開状態のまま第３所定時間が経過すると、読み取りを停止するように前記読取り装置を制御することを特徴とする請求項２に記載の加熱調理器。
【請求項６】
操作パネルを備え、
前記制御部は、前記前扉が開状態で前記読取り装置が読み取りを停止している場合に前記操作パネルに対して所定の操作がなされると、読み取りを再開するように前記読取り装置を制御することを特徴とする請求項４又は５に記載の加熱調理器。
【請求項７】
前記制御部は、読み取りを再開してから前記情報コードを読み取ることなく前記前扉が開状態のまま第４所定時間が経過すると、読み取りを停止するように前記読取り装置を制御することを特徴とする請求項６に記載の加熱調理器。
【請求項８】
前記制御部は、前記情報コードを読み取った場合に読み取った時点から第５所定時間の間読み取りを停止し、第５所定時間経過後に読み取りを再開するように前記読取り装置を制御することを特徴とする請求項２から７のいずれか１項に記載の加熱調理器。
【請求項９】
前記制御部は、前記加熱情報を設定後に前記前扉が閉状態のまま第６所定時間の間加熱の開始を指示する所定の動作がなされなかった場合に、設定した前記加熱情報を破棄することを特徴とする請求項２から８のいずれか１項に記載の加熱調理器。
【発明の詳細な説明】
【技術分野】
【０００１】
本発明は、加熱庫内部に配置された食品を加熱する加熱調理器に関する。
【背景技術】
【０００２】
従来、例えばコンビニエンスストアでは、販売した弁当等の食品を電子レンジ等の加熱調理器にて加熱し、客に手渡すサービスが行われている。【０００３】
食品を加熱する場合の好適な加熱温度や加熱時間は、食品の種類によって異なる。そこで、特許文献１および２に示す加熱調理器では、食品の容器に記された、食品の種類を示すバーコードを読取り装置にて読み取り、食品の種類に応じた加熱情報（加熱温度や加熱時間）に従って食品を加熱するようにしている。【０００４】
具体的には、特許文献１に記載の構成では、電子レンジにバーコードスキャナが接続され、ユーザがバーコードスキャナを手動操作して食品の容器に記されたバーコードを読み取るようになっている。【０００５】
また、特許文献２に記載の構成では、加熱調理器の前面の一方の側部に設けられた第１のバーコード読取り装置に、食品の容器に記されたバーコードをかざしてバーコードを読み取るようになっている。あるいは加熱調理器の加熱庫内部に、容器に収容された食品を配置し、加熱庫の天壁に設けられた第２のバーコード読取り装置にて食品の容器に記されたバーコードを読み取るようになっている。
【先行技術文献】
【特許文献】
【０００６】
【特許文献１】日本国特許公報「特開２００６−６４３６２号公報」
【特許文献２】日本国「実用新案登録第３０７６６４９号公報」
【発明の概要】
【発明が解決しようとする課題】
【０００７】
ところで、特許文献１、２の何れにおいても、バーコードスキャナや、第１あるいは第２のバーコード読取り装置が読み取りを行うタイミングについては記載されていない。しかしながら、これらの読取り装置が常に読み取りを行っている構成とすると、消費電力が高くなり省エネ化に反する。一方、これらの読取り装置を、スイッチ等を用いてオンオフさせる構成とすると、読み取り前にスイッチを操作する必要があり、使い勝手が低下する。【０００８】
本発明の一態様は、このような課題に鑑みなされたもので、食品の容器等に付与された情報コードを読取り装置にて読み取る加熱調理器であって、省エネでかつ使い勝手もよい加熱調理器の提供を目的とする。
【課題を解決するための手段】
【０００９】
上記の課題を解決するために、本発明の一態様に係る加熱調理器は、加熱庫と、前記加熱庫を開閉する前扉と、情報コードを読み取る読取り装置と、制御部とを備え、前記読取り装置にて読み取られる前記情報コードより取得される加熱情報に基づいて、前記加熱庫の内部に配置された食品を加熱する加熱調理器において、前記制御部は、前記前扉の開閉状態に応じて前記読取り装置による読み取りを行うかどうかを決定する。
【発明の効果】
【００１０】
本発明の一態様によれば、食品の容器等に付与された情報コードを読取り装置にて読み取る加熱調理器であって、省エネでかつ使い勝手もよい加熱調理器の提供することができる。
【図面の簡単な説明】
【００１１】
【図１】本発明の実施形態の加熱調理器の前扉を閉じた状態を正面の斜め上方から見た場合の斜視図である。
【図２】図１に示した加熱調理器の前扉を開放した状態の正面図である。
【図３】図１に示した加熱調理器の前扉を開放した状態を右斜め下方から見た場合の斜視図である。
【図４】図１に示した加熱調理器が備える読取り装置の設置状態を示すコントロールフレームの縦断面図である。
【図５】図４に示した読取り装置の読取り領域を示す説明図である。
【図６】図６の（ａ）は、図４に示した読取り装置が読み取る二次元コードからなる情報コードの例を示す説明図、図６の（ｂ）は、図４に示した読取り装置が読み取る一次元バーコードからなる情報コードの例を示す説明図である。
【図７】図７の（ａ）は、図４に示した読取り装置による情報コードの読み取りのための操作パネルでの案内表示例を示す説明図、図７の（ｂ）は、図４に示した読取り装置による情報コードの読み取りのための操作パネルでの他の案内表示例を示す説明図である。
【図８】図１に示した加熱調理器が備える制御装置の構成を示すブロック図である。
【図９】図１に示した加熱調理器の情報コードの読取り動作を示すフローチャートである。
【図１０】本発明の他の実施形態の加熱調理器の情報コードの読取り動作を示すフローチャートである。
【図１１】本発明のさらに他の実施形態の加熱調理器の情報コードの読取り動作を示すフローチャートである。
【図１２】本発明のさらに他の実施形態の加熱調理器の情報コードの読取り動作を示すフローチャートである。
【発明を実施するための形態】
【００１２】
〔実施形態１〕
以下、本発明の一実施形態について、詳細に説明する。図１は、本実施形態の加熱調理器１の前扉１２を閉じた状態を正面の斜め上方から見た場合の斜視図である。図２は、図１に示した加熱調理器１の前扉１２を開放した状態の正面図である。図３は、図１に示した加熱調理器１の前扉１２を開放した状態を右斜め下方から見た場合の斜視図である。
【００１３】
（加熱調理器１の概要）
図１から図３に示すように、加熱調理器１は、例えば電子レンジであり、前面の上部に操作パネル１１を有し、操作パネル１１の下に前扉１２を有している。前扉１２は、前扉１２の奥に設けられている加熱庫１３を開閉する扉であり、閉状態にて加熱庫１３の前面開口部１３ｂを覆う。前扉１２は、本実施形態において、向って左側の端部を中心として回転する横開き形式であり、右端付近に取手１４を有している。
【００１４】
操作パネル１１は、コントロールフレーム（基板収容部）１５の前面に設けられており、加熱調理器１の前後方向において、操作パネル１１の前面位置は前扉１２の前面位置とほぼ一致している。
【００１５】
コントロールフレーム１５の内部には、操作パネル１１の表示部の制御や、入力キー等に対するユーザ操作の受け付け等を行う制御基板（図示せず）が設けられている。
【００１６】
（読取り装置１６）
図４は、読取り装置１６の設置状態を示すコントロールフレーム１５の縦断面図である。図５は、読取り装置１６の読取り領域１９を示す説明図である。
【００１７】
図４に示すように、コントロールフレーム１５は、加熱調理器１の前方へ突出状に設けられている。読取り装置１６は、読取り装置基板（回路基板）１７の下面に取り付けられ、コントロールフレーム１５の内部の下部に設けられている。読取り装置基板１７は、読取り装置１６の駆動回路を備えている。すなわち、読取り装置１６は、加熱庫１３の外部、かつ加熱庫１３の前面開口部１３ｂの上方位置を設置位置とし、設置位置よりも下方に読取り領域１９を有するように設けられている。
【００１８】
読取り装置１６は、例えばバーコードリーダであり、加熱調理器１にて加熱する食品あるいは食品の容器に付与された情報コード（例えばバーコード）を読み取るようになっている。
【００１９】
読取り装置１６は、図５に示すように、読取り装置１６の下方領域を読取り領域１９としており、コントロールフレーム１５は、読取り装置１６と対向する下壁部の部分に、透明の読取り窓１８を有している。
【００２０】
読取り装置１６の読取り領域１９は、読取り領域照明部（図示せず）によって、ユーザが目視にて読取り領域１９を理解できるように、例えば赤色の光にて示すようになっている。なお、読取り領域１９を示す光は赤色に限定されず、ユーザが目視可能な他の光であってもよい。
【００２１】
また、読取り装置１６は、図２および図３に示すように、加熱庫１３の前面開口部１３ｂの幅方向（左右方向）の中央部に設けられている。
【００２２】
（情報コード）
図６の（ａ）は、二次元コードからなる情報コードの例を示す説明図、図６の（ｂ）は、一次元バーコードからなる情報コードの例を示す説明図である。図７の（ａ）は、読取り装置１６による情報コードの読み取りのための操作パネル１１での案内表示例を示す説明図、図７の（ｂ）は、読取り装置１６による情報コードの読み取りのための操作パネル１１での他の案内表示例を示す説明図である。
【００２３】
情報コードは、少なくとも加熱情報、あるいは加熱情報を取得するための情報を含んでいる。加熱情報とは、加熱調理器１が電子レンジである場合は、高周波出力の大きさと加熱時間を含む。加熱情報が情報コードに直接含まれている場合、加熱調理器１は情報コードを読み取ることで加熱情報を取得できる。加熱情報を取得するための情報が含まれている場合は、加熱調理器１は、該情報を用いて加熱調理器１自身あるいは加熱調理器１とインターネット回線等で接続されている後述するサーバ３１（図８参照）より加熱情報を取得する。
【００２４】
加熱情報を取得するための情報は、例えば、食品の種類を示す情報がある。食品の種類を示す情報は、例えば食品が弁当であること（あるいはさらには弁当の種類）や、おにぎりであること（あるいはさらにはおにぎりの種類）を示す情報である。加熱情報を取得するための情報は、加熱情報が格納された、加熱調理器１やサーバ３１のメモリ番号の情報であってもよい。本実施形態では、加熱情報をサーバ３１が有し、食品の種類を示す情報を用いて加熱情報を取得する構成を例示する。
【００２５】
また、情報コードには、食品の商品コードや、消費期限などの情報が含まれていてもよい。このような情報コードは、食品あるいは食品の容器に、例えば印刷あるいはシールによって付与されている。
【００２６】
情報コードは、例えば図６の（ａ）に示すように、二次元コードであってもよいし、図６の（ｂ）に示すように、一次元バーコードであってもよい。なお、情報コードは、加熱情報あるいは食品の種類を示すことができるものであればよく、特にバーコード等に限定されない。
【００２７】
操作パネル１１には、読取り装置１６による情報コードの円滑な読み取りのために、ユーザに対する案内表示が行われている。例えば図７の（ａ）の例では、「ドアを開けて赤色の光に情報コードをかざしてください」という案内表示２０が行われている。また、図７の（ｂ）の例では、「ドアを開けて情報コードに赤色の光を当ててください」という案内表示２０が行われている。なお、これら案内表示２０は、一例であり、特にこれらに限定されない。
【００２８】
（制御装置）
図８は、加熱調理器１が備える制御装置の構成を示すブロック図である。制御装置は、加熱調理器１の動作を制御する制御部２２を備えている。制御部２２は、例えばマイクロコンピュータからなり、ＣＰＵ、ＲＯＭおよびＲＡＭを有する。
【００２９】
図８に示すように、制御部２２には、操作パネル１１、加熱動作部２３、読取り装置１６、読取り結果報知部２４および前扉開閉検知部２５が接続されている。前扉開閉検知部２５は、例えば前扉１２が開かれている状態でオン信号を出力し、前扉１２が閉じられている状態でオフ信号を出力するスイッチからなり、前扉１２の開状態および閉状態を検知する。
【００３０】
加熱動作部２３は、加熱庫１３に配置された食品を加熱する動作部であり、加熱調理器１が電子レンジである場合は、マイクロ波出力装置である。読取り結果報知部２４は、ブザーや音声発生部であり、制御部２２に制御されて、読取り装置１６による情報コードの読み取りの成功または失敗をユーザに報知する。なお、音にて読取り結果を報知する読取り結果報知部２４に代えて、操作パネル１１を用いて表示にて読取り結果を報知する報知部として用いてもよい。また、音と表示の両方にて読取り結果を報知する構成としてもよい。
【００３１】
制御部２２は、例えばインターネット回線を使用してサーバ３１と通信可能である。サーバ３１には、各種食品の種類に応じた加熱情報が登録されている。制御部２２は、読取り装置１６が情報コードを読み取ることによって取得した情報（例えば、食品の種類を示す情報）を用いて加熱情報をサーバ３１から取得し、取得した加熱情報に従って食品が加熱されるように、加熱動作部２３を制御する。
【００３２】
また、制御部２２は、読取り結果報知部２４の動作を制御し、読取り装置１６による情報コードの読み取りの成功または失敗をユーザに報知させる。制御部２２は、情報コードに含まれる情報に基づいて、サーバ３１より加熱情報を取得できた場合に、読み取りが成功したと判断する。制御部２２は、情報コードに含まれる情報に基づいて、サーバ３１より加熱情報を取得できなかった場合に、読み取りが失敗したと判断する。この読み取りの失敗には、情報コードは適切であっても、読取り方が悪くて読み取れなかった場合や、情報コード自体が加熱情報を取得するためのものではなく、サーバ３１より加熱情報を取得するための情報が含まれていなかった場合なども含まれる。
【００３３】
さらに、制御部２２は、読取り装置１６の動作を制御し、前扉１２の開閉状態に応じて読取り装置１６による読み取りを行うかどうかを決定する。より具体的には、制御部２２は、前扉１２が開状態である場合に、読み取りを行うように読取り装置１６を制御し、前扉１２が閉状態である場合に、読み取りを行わないように読取り装置１６を制御する。また、制御部２２は、前扉１２が開操作されてからの経過時間や、読取り装置１６が情報コードを読み取ってからの経過時間等に応じて、前扉１２が開状態であっても読取り装置１６の動作を停止させたりする。詳細については、図９のフローチャートを用いて後述する。
【００３４】
（加熱調理器１の動作）
上記の構成において、加熱調理器１の動作について説明する。ここでは、容器の上面に情報コードが付与された弁当を加熱調理器１にて加熱する場合について説明する。
【００３５】
ユーザにて前扉１２が開けられ、この状態を前扉開閉検知部２５が検知すると、制御部２２は、読取り装置１６を動作させる。これにより、読取り装置１６からは例えば赤色の光の照射が開始され、読取り状態にあることをユーザは一目瞭然に知ることができる。
【００３６】
次に、ユーザは、操作パネル１１の案内表示２０に従って、読取り装置１６の読取り領域１９に情報コードが入るように（情報コードに赤色の光が当たるように）、弁当を移動させる。
【００３７】
この動作により、読取り装置１６は弁当に付与された情報コードを読み取る。読取り装置１６による情報コードの読み取りが成功すると、制御部２２は、その読取り結果を読取り結果報知部２４にてユーザに報知させる。この場合の読取り結果報知部２４の動作は、例えば「ピー」という連続音を発する動作、「情報コードの読み取りが成功しました」という音声を発する動作、あるいはそれら両方である。
【００３８】
ユーザは、読取り結果報知部２４にて情報コードの読み取りの成功が知らされると、弁当を加熱庫１３の内部へ配置した後、前扉１２を閉じ、操作パネル１１のスタートボタンを押す。
【００３９】
制御部２２は、情報コードの読み取りが成功すると、サーバ３１と通信し、情報コードが示す食品の種類の応じた加熱情報をサーバ３１から取得する。その後、制御部２２は、ユーザが前扉１２を閉じ、操作パネル１１のスタートボタンを押すと、取得した加熱情報に従って加熱庫１３内の弁当を加熱する。
【００４０】
一方、読取り装置１６による情報コードの読み取りが失敗すると、制御部２２は、その読取り結果を読取り結果報知部２４にてユーザに報知させる。この場合の読取り結果報知部２４の動作は、例えば「ピッ、ピッ、ピッ」という断続音を発する動作、「情報コードの読み取りが失敗しました」という音声を発する動作、あるいはそれら両方である。
【００４１】
ユーザは、読取り結果報知部２４にて情報コードの読み取りの失敗が知らされると、読取り装置１６の読取り領域１９に情報コードが入るように（情報コードに赤色の光が当たるように）、再度、弁当を移動させる。これにより、情報コードの読み取りが成功した場合の動作は、前述のとおりである。
【００４２】
（加熱調理器１の情報コードの読取り動作）
次に、加熱調理器１の情報コードの読取り動作について図９のフローチャートを用いて説明する。図９は、加熱調理器１の情報コードの読取り動作を示すフローチャートである。
【００４３】
制御部２２は、前扉１２の開状態が検知されたかどうかを判断しており（Ｓ１）、開状態が検知されたと判断すると、次に、加熱開始後の第１回目の開状態の検知であるかどうかを判断する（Ｓ２）。加熱開始後の第１回目の開状態の検知で無いと判断すると、読取り装置１６による読み取りを開始する（Ｓ３）。
【００４４】
一方、Ｓ２において、加熱開始後の第１回目の開状態の検知であると判断すると、制御部２２は、前扉１２が開かれてから第１時間（第１所定時間）の間待機し（Ｓ１１）、第１時間経過後Ｓ３に進み、読取り装置１６による読み取りを開始する（Ｓ３）。
【００４５】
ここで、Ｓ１１を設けているのは、加熱庫１３から加熱処理済の弁当を取り出す際に情報コードを読み取ってしまい、その加熱情報を再びセットするといった無駄な動作を回避するためである。加熱開始後の第１回目に前扉１２の開状態の検知時に、第１時間の間読み取りを行わないことで、このような無駄な動作を回避できる。なお、読み取りの開始を遅らせる第１時間は、加熱庫１３からの弁当を取り出しに要する時間に応じて設定することが好ましく、例えば２〜３秒程度である。
【００４６】
制御部２２は、読み取り動作中、情報コードを読み取ったかどうかを判断し（Ｓ４）、情報コードを読み取った場合は、一旦読み取りを停止し、読み取った時点から第２時間（第５所定時間）経過後に読み取りを再開する（Ｓ５）。また、制御部２２は、読み取った内容を分析し（Ｓ６）、サーバ３１から加熱情報を取得できた場合は、有効と判断して加熱情報を前記ＲＡＭの所定の書き込み領域にセットし（Ｓ７）、読取り結果を報知する（Ｓ８）。その後、制御部２２はＳ９に進む。また、Ｓ４にて情報コードを読み取っていないと判断した場合は、Ｓ５〜Ｓ８の処理を経ることなくＳ９に進む。
【００４７】
Ｓ９においては、前扉１２の閉状態が検知されたかどうかを判断し、閉状態が検知されていないと判断すると、Ｓ４に戻る。一方、Ｓ９において、閉状態が検知されたと判断すると、読取り装置１６による読み取りを停止し（Ｓ１０）、Ｓ１に戻る。
【００４８】
ここで、Ｓ５を設けているのは、加熱庫１３内に弁当を入れる動作が遅い場合などに、同じ情報コードを複数回読み取り、その度に、Ｓ４〜Ｓ９が繰り返されることを回避するためである。読取り結果報知部２４からの結果の報知が繰り返し行われると、煩わしさを禁じ得ない。なお、読み取りを一旦停止する第２時間は、読取り済みの情報コードが、読取り装置１６の読取り領域１９を通過するのに要する時間に応じて設定することが好ましく、例えば１秒程度である。また、図９のフローチャートでは、便宜上、Ｓ５の後段にＳ６〜Ｓ８を記載しているが、Ｓ５とＳ６〜Ｓ８とは併行して行ってもよい。
【００４９】
また、ここでは、Ｓ８にて読取り結果を報知した後、Ｓ９にて前扉１２が閉状態であると判断されない限りＳ４に戻り、Ｓ７における加熱情報の再セットを可能にしている。これにより、前扉１２が閉じられるまでの間、特別な取り消し操作等を必要とすることなく、何回でも情報コードを読み直して加熱情報を設定し直すことができる。
【００５０】
（加熱調理器１の利点）
加熱調理器１では、制御部２２が読取り装置１６の動作を前扉１２の開閉状態に応じて決定するため、ユーザの手を煩わせることなく読取り装置１６を適切にオンオフさせることができる。つまり、ユーザは、前扉１２を開くだけで読取り装置１６による読取りを開始させることができ、前扉１２を閉じるだけで読取り装置１６による読取りを停止させることができる。前扉１２の開閉動作は、加熱調理器１にて食品を加熱する際に必須の動作であるので、このような必須の動作に連動させることで、読取り装置１６をオンオフさせるためのスイッチを操作する構成に比べて、使い勝手が向上する。また、読取り装置１６が常に読取り動作を行っている構成に比べて、消費電力を抑えることができる。
【００５１】
また、加熱開始後の第１回目に前扉１２の開状態の検知時は、第１時間の間読み取りを行わないので、加熱庫１３から取り出す加熱処理済の弁当の情報コードを読み取って加熱情報を再びセットするといった無駄な動作を回避することができる。
【００５２】
しかも、情報コードを読み取ると、その後の第２時間の間は読み取りを行わないので、同じ情報コードを複数回読み取ってその加熱情報をセットするといった無駄な動作を回避することができる。
【００５３】
また、前述した特許文献１に記載の構成では、ユーザがバーコードスキャナを手動操作して食品の容器に記されたバーコードを読み取る必要があり、バーコードの読み取り操作が面倒である。また、特許文献２に記載の構成では、第１のバーコード読取り装置にてバーコードを読み取る場合、食品の容器に記されたバーコードを垂直な面に設けられた第１のバーコード読取り装置にかざす必要があり、同様にバーコードの読み取り操作が面倒である。特に、弁当の場合、弁当を傾ける必要があり、不便である。また、第２のバーコード読取り装置にてバーコードを読み取る場合、特にユーザの操作が不要であるが、第２のバーコード読取り装置は、加熱庫内の天壁に設けられているため、食品から発生する蒸気や食品からの飛散物等によって検出信号通過面が汚れ易い。また、加熱庫が高温になるために、温度による劣化が生じ易い。
【００５４】
これに対し、加熱調理器１では、読取り装置１６は、加熱庫１３の外部、かつ加熱庫１３の前面開口部１３ｂの上方位置を設置位置とし、設置位置よりも下方に読取り領域１９を有するように設けられている。
【００５５】
したがって、ユーザが加熱される食品を加熱庫１３に載置する一連の動作の途中にて、読取り装置１６により情報コードを読み取ることができる。これにより、ユーザは、情報コードを読取り装置１６にて読み取らせるための独立した操作が不要となり、情報コードの読み取り作業が容易となる。
【００５６】
また、読取り装置１６は、加熱庫１３の前面開口部１３ｂの上方位置に設置されているので、検出信号通過面（読取り窓１８の下面）の汚れが生じ難く、かつ加熱庫１３内の温度の影響を受け難くなっている。
【００５７】
また、加熱庫１３の前面開口部１３ｂの上方位置には、操作パネル１１の制御基板を収容するコントロールフレーム１５が突出状に設けられている。読取り装置１６は、コントロールフレーム１５の下面から下方を臨むように設けられている。このように、読取り装置１６は、操作パネル１１の制御基板を収容するコントロールフレーム１５を利用して設置されている。
【００５８】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５９】
実施形態２の加熱調理器１Ａの外観および構成は実施形態１の加熱調理器１と同じであり、情報コードの読取り動作の手順が一部異なる。図１０は、実施形態２の加熱調理器１Ａの情報コードの読取り動作を示すフローチャートである。
【００６０】
図１０に示すように、図９のフローチャートにおけるＳ９にて、前扉１２の閉状態が検知されていないと判断してＳ４に戻る後にＳ２１が設けられている。Ｓ２１において、制御部２２は、読取り装置１６による読み取りが行われないまま第３時間（第２所定時間、第３所定時間）経過していないかどうかを判断する。制御部２２は、第３時間は経過していないと判断すると、Ｓ４に戻る。一方、Ｓ２１において、読み取りが行われないまま第３時間経過していると判断すると、読み取りを停止する（Ｓ２２）。その後、制御部２２は、前扉１２の開状態かどうかを繰り返し判断し（Ｓ２３）、開状態ではないと判断するとＳ１に戻る。制御部２２は、Ｓ７において加熱情報をセットした後Ｓ１に戻った状態でスタートボタンが押されると、加熱動作部２３による加熱を開始する。
【００６１】
つまり、実施形態２の加熱調理器１Ａにおいては、読み取りが行われないまま第３時間経過すると、前扉１２が開状態であっても読取り装置１６による読み取りを停止する。この場合、読取り装置１６が一度も情報コードを読み取っていない場合は、Ｓ１にて前扉１２の開状態が検知された時点が第３時間の起点となる。一方、読取り装置１６が情報コードを一度でも読み取ったことがある場合は、Ｓ４にて最後に情報コードを読み取ったと判断した時点が第３時間の起点となる。なお、読み取りを停止するまでの第３時間は、例えば３０秒程度である。
【００６２】
（加熱調理器１Ａの利点）
このような構成とすることで、前扉１２が開けられた状態で放置された場合に、読取り装置１６が無駄に読取り動作を実行し続けて、電力が無駄に消費されるといった不具合を回避できる。
【００６３】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００６４】
実施形態３の加熱調理器１Ｂの外観および構成は実施形態１、２の加熱調理器１、１Ａと同じであり、情報コードの読取り動作の手順が一部異なる。図１１は、実施形態３の加熱調理器１Ｂの情報コードの読取り動作を示すフローチャートである。
【００６５】
図１０のフローチャートにおいては、Ｓ２３において制御部２２は、前扉１２が閉じられるまで、開状態かどうかを繰り返し判断するようになっていたが、図１１に示すように、ここでは、前扉１２が開状態であると判断した場合に進むＳ２４が設けられている。Ｓ２４において制御部２２は、読取り装置１６による読み取りを再開させる所定の操作が行われたかどうかを判断する。制御部２２は、Ｓ２４において読み取りを再開させる所定の操作が行われたと判断すると、Ｓ３に移行し、読取り装置１６による読取りを再開する。一方、Ｓ２４において読み取りを再開させる所定の操作が行われていないと判断すると、Ｓ２３に戻る。制御部２２は、Ｓ２３において、前扉１２が閉状態となったと判断するまで、Ｓ２３、Ｓ２４を繰り返す。
【００６６】
Ｓ２４における読み取りを再開させる所定の操作としては、例えば、操作パネル１１の所定のボタンあるいは任意のボタンを押す操作などがある。
【００６７】
また、Ｓ２１において、読み取りが行われないまま第３時間経過すると、Ｓ２２にて読取り装置１６による読み取りを停止するが、Ｓ２４にて読取りを再開する所定の操作が行われた場合の第３時間（第４所定時間）の起点は、再開する所定の操作が行われた時点となる。なお、再開後に、情報コードを読み取ったと判断した場合には、その時点を新たな起点としてもよい。
【００６８】
（加熱調理器１Ｂの利点）
このような構成とすることで、前扉１２が開状態のまま読取り装置１６が停止した場合でも、前扉１２を一旦閉じて再度開くといった操作を行うことなく、操作パネル１１のボタンを操作するなどの簡単な操作にて読み取りを再開させることができる。したがって、使い勝手がさらに向上する。
【００６９】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００７０】
実施形態４の加熱調理器１Ｃの外観および構成は実施形態１、２、３の加熱調理器１、１Ａ、１Ｂと同じであり、情報コードの読取り動作の手順が一部異なる。図１２は、実施形態３の加熱調理器１Ｃの情報コードの読取り動作を示すフローチャートである。
【００７１】
図１２に示すように、Ｓ２３において、前扉１２は開状態ではない（つまり前扉１２は閉状態である）と判断した場合、およびＳ９，Ｓ１０において、前扉１２は閉状態であると判断した場合、Ｓ３１に進む。Ｓ３１においては、スタートキーが押されないまま第４時間（第６所定時間）経過していないかを判断する。Ｓ３１において、第４時間経過したと判断すると、セットした加熱情報をキャンセルして（Ｓ３２）、Ｓ１に戻る。一方、第４時間経過していないと判断すると、スタートキーが押されたかどうかを判断し（Ｓ３３）、スタートキーが押された判断するとＳ１に戻る。
【００７２】
（加熱調理器１Ｃの利点）
このような構成とすることで、加熱情報がセットされて前扉１２が閉じられても、スタートキーが押されなかった場合は、セットされている加熱情報をキャンセルして加熱調理器１Ｃを初期待機状態に戻すことができる。これにより、スタートキーが押されないまま放置されていた弁当を、何の注意も払うことなく加熱されて提供されるといったミスを防止することができる。これにより、使い勝手がさらに向上する。
【００７３】
なお、上記した実施形態１〜４においては、第１〜第４時間を固定としていたが、適宜ユーザが操作パネル１１などを用いて設定できるようにしてもよい。また、前扉１２が開状態であっても読取り装置１６の動作を停止させるまでの待ち時間を、実施形態２〜４においては第３時間としていたが、読み取りが１度も行われていない場合（第２所定時間）と、読み取りが１度は行われた場合（第３所定時間）と、所定の操作が成されて読み取りを再開した場合（第４所定時間）とで、異なる時間を設定してもよい。
【００７４】
〔まとめ〕
本発明の態様１に係る加熱調理器は、加熱庫１３と、前記加熱庫１３を開閉する前扉１２と、情報コードを読み取る読取り装置１６と、制御部２２とを備え、前記読取り装置１６にて読み取られる前記情報コードより取得される加熱情報に基づいて、前記加熱庫１３の内部に配置された食品を加熱する加熱調理器１において、前記制御部２２は、前記前扉１２の開閉状態に応じて前記読取り装置１６による読み取りを行うかどうかを決定する。
【００７５】
本発明の態様２に係る加熱調理器は、上記態様１において、前記読取り装置１６は、前記加熱庫１３の外部、かつ前記加熱庫１３の前面開口部１３ｂの上方位置を設置位置とし、前記設置位置よりも下方に読取り領域１９を有するように設けられ、前記制御部２２は、前記前扉１２が開状態である場合に、読み取りを行うように前記読取り装置１６を制御し、前記前扉１２が閉状態である場合に、読み取りを行わないように前記読取り装置１６を制御する構成とすることもできる。
【００７６】
本発明の態様３に係る加熱調理器は、上記態様１又は２において、前記制御部２２は、加熱開始後に初めて前記前扉１２が開操作されたとき、前記前扉１２が開状態であっても、開操作された時点から第１所定時間の間読み取りを行わないように前記読取り装置１６を制御する構成とすることもできる。
【００７７】
本発明の態様４に係る加熱調理器は、上記態様２において、前記制御部２２は、前記前扉１２が開操作されると、読み取りを開始するように前記読取り装置１６を制御し、前記情報コードを読み取ることなく前記前扉１２が開状態のまま第２所定時間が経過すると、読み取りを停止するように前記読取り装置１６を制御する構成とすることもできる。
【００７８】
本発明の態様５に係る加熱調理器は、上記態様２において、前記制御部２２は、前記情報コードを読み取ってから前記前扉１２が開状態のまま第３所定時間が経過すると、読み取りを停止するように前記読取り装置１６を制御する構成とすることもできる。
【００７９】
本発明の態様６に係る加熱調理器は、上記態様４又は５において、操作パネル１１を備え、前記制御部２２は、前記前扉１２が開状態で前記読取り装置１６が読み取りを停止している場合に前記操作パネル１１に対して所定の操作がなされると、読み取りを再開するように前記読取り装置１６を制御する構成とすることもできる。
【００８０】
本発明の態様７に係る加熱調理器は、上記態様６において、前記制御部２２は、読み取りを再開してから前記情報コードを読み取ることなく前記前扉１２が開状態のまま第４所定時間が経過すると、読み取りを停止するように前記読取り装置１６を制御する構成とすることもできる。
【００８１】
本発明の態様８に係る加熱調理器は、上記態様２から７のいずれかにおいて、音声又は表示の少なくとも一方を用いて、前記読取り装置による読取り結果を報知する報知部（読取り結果報知部２４）を備え、前記制御部２２は、前記加熱情報を取得できた場合に読み取りが有効であることを報知するように前記報知部を制御する構成とすることもできる。
【００８２】
本発明の態様９に係る加熱調理器は、上記態様２から８のいずれかにおいて、前記制御部２２は、前記情報コードを読み取った場合に読み取った時点から第５所定時間の間読み取りを停止し、第５所定時間経過後に読み取りを再開するように前記読取り装置１６を制御する構成とすることもできる。
【００８３】
本発明の態様１０に係る加熱調理器は、上記態様２から９のいずれかにおいて、前記制御部２２は、前記加熱情報を設定後に、前記情報コードを読み取って新たな加熱情報を取得した場合は、新たに取得した加熱情報を有効として設定し直す構成とすることもできる。
【００８４】
本発明の態様１１に係る加熱調理器は、上記態様２から１０のいずれかにおいて、前記制御部２２は、前記加熱情報を設定後に前記前扉１２が閉状態のまま第６所定時間の間加熱の開始を指示する所定の動作がなされなかった場合に、設定した前記加熱情報を破棄する構成とすることもできる。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８６】
１、１Ａ〜１Ｃ  加熱調理器
１１  操作パネル
１２  前扉
１３  加熱庫
１３ｂ  前面開口部
１４  取手
１５  コントロールフレーム
１６  装置
１７  装置基板
１９  領域
２０  案内表示
２２  制御部
２３  加熱動作部
２４  結果報知部
２５  前扉開閉検知部
３１  サーバ
【図１】
2019198274.tif 000003
【図２】
2019198274.tif 000004
【図３】
2019198274.tif 000005
【図４】
2019198274.tif 000006
【図５】
2019198274.tif 000007
【図６】
2019198274.tif 000008
【図７】
2019198274.tif 000009
【図８】
2019198274.tif 000010
【図９】
2019198274.tif 000011
【図１０】
2019198274.tif 000012
【図１１】
2019198274.tif 000013
【図１２】
2019198274.tif 000014
【国際調査報告】
2019198274.tif 000015
2019198274.tif 000016
2019198274.tif 000017
2019198274.tif 000018